(57)【要約】【課題】インターネット上において、好みの作風の似顔絵入り名刺を希望する条件で作成するのに適した似顔絵入り名刺作成システムを提案すること。【解決手段】似顔絵入り名刺作成システム１は、インターネット２を介して、依頼者４ａ、５ａから似顔絵入り名刺作成依頼を受けると、まず、事前登録されている似顔絵制作者６ａにその旨を連絡してネットオークションにより、依頼者の希望に合う似顔絵制作者を決定し、似顔絵の制作を発注する。ネットオークション時には、エントリーした似顔絵制作者により似顔絵制作途中のラフスケッチも提示される。よって、依頼者は自己の希望に沿った似顔絵を制作してくれる似顔絵制作者を確実に選ぶことができる。次に、制作された似顔絵を用いて、名刺作成サイト１０上において依頼者に名刺を作成させる。よって、依頼者の好みのタッチの似顔絵入りの名刺を、依頼者の希望する条件で作成できる。【選択図】      図２
2004348351.tif 000002
【特許請求の範囲】
【請求項１】
インターネットなどのネットワークを介して、似顔絵制作の受発注を行う似顔絵制作の仲介方法であって、
似顔絵の制作依頼者から、制作依頼情報を受け付ける受注工程と、
予め登録されている似顔絵制作者に前記制作依頼情報を提示して、これら似顔絵制作者の中から受注希望者を募り、前記受注希望者に受注希望条件を提示させ、前記制作依頼者に、前記受注希望者の中から受注者を選択させるオークション工程と、
前記受注者に似顔絵の制作を依頼する発注工程と、
を含む似顔絵制作の仲介方法。
【請求項２】
請求項１において、
前記制作依頼情報には、希望納期および予算のうちの少なくとも一つが含まれている似顔絵制作の仲介方法。
【請求項３】
請求項１または２において、
前記受注希望条件には、制作金額および納期のうちの少なくとも一つが含まれている似顔絵制作の仲介方法。
【請求項４】
請求項１、２または３において、
前記発注工程では、前記受注者に、制作依頼者の顔写真画像データを提供する似顔絵制作の仲介方法。
【請求項５】
請求項１、２または３において、
前記制作依頼者に対して、顔写真画像データを前記受注者に送付するように指示する送付指示工程を含む似顔絵制作の仲介方法。
【請求項６】
請求項１、２または３において、
前記制作依頼情報には、顔写真画像データが含まれており、
前記オークション工程では、前記受注希望者に、前記受注希望条件と共に、前記顔写真画像データに基づき制作した似顔絵を提示させる似顔絵制作の仲介方法。
【請求項７】
請求項１、２または３において、
前記制作依頼情報には、顔写真画像データが含まれており、
前記オークション工程では、前記受注希望者に、前記受注希望条件と共に、前記顔写真画像データに基づき制作した制作途中の似顔絵を提示させる似顔絵制作の仲介方法。
【請求項８】
請求項６または７において、
前記受注工程では、前記制作依頼者から初期エントリー料を受け取る似顔絵制作の仲介方法。
【請求項９】
請求項８において、
前記受注希望者に、前記初期エントリー料を分配する分配工程を含む似顔絵制作の仲介方法。
【請求項１０】
請求項１ないし９のうちのいずれかの項において、
前記オークション工程では、前記受注希望者のそれぞれに、似顔絵の制作実例も提示させる似顔絵制作の仲介方法。
【請求項１１】
インターネットなどのネットワークを介して、似顔絵入り名刺の制作を受注する似顔絵入り名刺の作成方法において、
似顔絵入り名刺の作成依頼者からの名刺作成依頼に基づき、請求項１ないし１０に記載の似顔絵制作の仲介方法により、似顔絵制作を発注する似顔絵制作の発注工程と、
制作された似顔絵を用いて、似顔絵入り名刺を作成する名刺制作工程と、
を含む似顔絵入り名刺の作成方法。
【請求項１２】
請求項１１において、
少なくとも一種類の名刺作成上の統一規格を予め登録しておき、
前記統一規格が指定されると、前記名刺作成工程では、当該統一規格に従って似顔絵入り名刺を作成する似顔絵入り名刺の作成方法。
【請求項１３】
コンピュータに、インターネットなどのネットワークを介して、似顔絵制作の受発注の仲介処理を実行させるためのプログラムであって、
似顔絵の制作依頼者から、制作依頼情報を受け付ける受注工程と、
予め登録されている似顔絵制作者に前記制作依頼情報を提示して、これら似顔絵制作者の中から受注希望者を募り、前記受注希望者に受注希望条件を提示させ、前記制作依頼者に、前記受注希望者の中から受注者を選択させるオークション工程と、
前記受注者に似顔絵の制作を依頼する発注工程と、
をコンピュータに実行させるための似顔絵制作仲介用プログラム。
【請求項１４】
請求項１３において、
前記発注工程では、前記受注者に、制作依頼者の顔写真画像データを提供する似顔絵制作仲介用プログラム。
【請求項１５】
請求項１３において、
前記制作依頼者に対して、顔写真画像データを前記受注者に送付するように指示する送付指示工程を含む似顔絵制作仲介用プログラム。
【請求項１６】
請求項１３において、
前記制作依頼情報には、顔写真画像データが含まれており、
前記オークション工程では、前記受注希望者に、前記受注希望条件と共に、前記顔写真画像データに基づき制作した似顔絵を提示させる似顔絵制作仲介用プログラム。
【請求項１７】
請求項１３において、
前記制作依頼情報には、顔写真画像データが含まれており、
前記オークション工程では、前記受注希望者に、前記受注希望条件と共に、前記顔写真画像データに基づき制作した制作途中の似顔絵を提示させる似顔絵制作仲介用プログラム。
【請求項１８】
請求項１６または１７において、
前記受注工程では、前記制作依頼者から初期エントリー料を受け取る似顔絵制作仲介用プログラム。
【請求項１９】
請求項１８において、
前記受注希望者に、前記初期エントリー料を分配する分配工程を含む似顔絵制作仲介用プログラム。
【請求項２０】
請求項１３ないし１９のうちのいずれかの項において、
前記オークション工程では、前記受注希望者のそれぞれに、似顔絵の制作実例も提示させる似顔絵制作仲介用プログラム。
【請求項２１】
コンピュータに、インターネットなどのネットワークを介して、似顔絵入り名刺の制作の受注処理を実行させる似顔絵入り名刺作成用プログラムであって、
似顔絵入り名刺の作成依頼者からの名刺作成依頼を受け付けると起動する、請求項１３ないし２０に記載の似顔絵制作仲介用プログラムと、
コンピュータに、似顔絵制作を発注する似顔絵制作の発注工程、および、制作された似顔絵を用いて似顔絵入り名刺を制作する名刺制作工程を実行させるプログラムと、
を含む似顔絵入り名刺作成用プログラム。
【請求項２２】
請求項２１において、
少なくとも一種類の名刺作成上の統一規格を予め登録しておき、
前記統一規格が指定されると、前記名刺作成工程では、当該統一規格に従って似顔絵入り名刺を作成する似顔絵入り名刺作成用プログラム。
【発明の詳細な説明】
【０００１】
【発明の属する技術分野】
本発明は、インターネットなどのネットワークを介して似顔絵の制作依頼を受注し、制作依頼者の指定する似顔絵制作者に似顔絵制作を発注する似顔絵制作の仲介方法およびプログラムに関するものである。
【０００２】
また、本発明は、このような似顔絵制作の仲介方法により制作された似顔絵を用いて似顔絵入り名刺を作成する似顔絵入り名刺の作成方法およびプログラムに関するものである。
【０００３】
【従来の技術】
似顔絵入り名刺は、初対面の相手に顔を覚えて貰うなどの目的で企業の営業部門などにおいて広く用いられている。最近、インターネット上において、似顔絵入り名刺の作成を請け負うサイトも登場しており、デジタルカメラやカメラ付き携帯電話で撮影した顔写真の画像データを送ることにより、手軽に似顔絵付き名刺の作成を依頼できるようになっている。このようなインターネットサイトは、例えば、下記の非特許文献に開示されている。なお、下記の特許文献には、オンラインで名刺の作成依頼を受注して名刺を作成する方法が開示されている。
【０００４】
【非特許文献】
「イラスト似顔絵名刺（似顔絵名刺作成，オーダーメードかでる工房）」、［ｏｎｌｉｎｅ］、［平成１５年３月１７日検索］、インターネット＜ＵＲＬ：ｈｔｔｐ：／ｗｗｗ．ｋａｄｅｒｕ．ｃｏｍ／＞
【特許文献】
特開２００２−１４９９９５号公報
【０００５】
【発明が解決しようとする課題】
しかしながら、従来におけるインターネット上で似顔絵入り名刺を作成するシステムにおいては、似顔絵の作風、納期、制作料などが予め設定されており、依頼者はその範囲内で希望するものを作成せざるを得ず、選択の自由度が少ない。このため、自分の気に入った似顔絵入り名刺を作成できない場合がある。
【０００６】
また、どのような似顔絵になるのかは名刺が完成した段階でないと確認できないので、希望する似顔絵入りの名刺にならない場合もあるという不便さがある。
【０００７】
さらに、例えば会社単位で似顔絵入り名刺を作成する場合には、似顔絵以外の会社名、住所などの字体などは統一したものを使用するのが一般的である。しかしながら、既存のインターネット上の似顔絵入り名刺作成サイトは、個人向けを基本としており、似顔絵以外の部分が統一したデザインの名刺を作成するには適していない。
【０００８】
本発明の課題は、このような点に鑑みて、依頼者の希望に応じて似顔絵の作風、納期、予算などを決定可能な似顔絵入り名刺の作成方法およびプログラムを提案することにある。
【０００９】
また、依頼者が作成途中の似顔絵を確認可能な似顔絵入り名刺の作成方法およびプログラムを提案することにある。
【００１０】
さらに、会社などの団体が統一したデザインで各人の似顔絵入り名刺を作成するのに適した似顔絵入り名刺の作成方法およびプログラムを提案することにある。
【００１１】
一方、本発明は、このような新しい似顔絵入り名刺の作成方法およびプログラムに採用するのに適した似顔絵制作の仲介方法およびプログラムを提案することにある。
【００１２】
【課題を解決するための手段】
上記の課題を解決するために、本発明は、インターネットなどのネットワークを介して、似顔絵制作の受発注を行う似顔絵制作の仲介方法であって、似顔絵の制作依頼者から、制作依頼情報を受け付ける受注工程と、予め登録されている似顔絵制作者に前記制作依頼情報を提示して、これら似顔絵制作者の中から受注希望者を募り、前記受注希望者に受注希望条件を提示させ、前記制作依頼者に、前記受注希望者の中から受注者を選択させるオークション工程と、前記受注者に似顔絵の制作を依頼する発注工程とを含むことを特徴としている。
【００１３】
本発明では、オークション工程により、似顔絵の制作を依頼する似顔絵制作者を決定するようにしている。したがって、多数のエントリー者の中から、依頼者の好みに合った作風の制作者、制作料、納期などの依頼者の希望に合った制作者を見つけることができる。よって、本発明によれば、依頼者の希望する似顔絵入り名刺を希望の条件により作成することができる。
【００１４】
ここで、前記制作依頼情報には、希望納期および予算のうちの少なくとも一つを含めるようにすればよい。また、前記受注希望条件には、制作金額および納期のうちの少なくとも一つを含めるようにすればよい。
【００１５】
また、前記発注工程では、前記受注者に、制作依頼者の顔写真画像データを提供させるようにしてもよい。この代わりに、前記制作依頼者に対して、顔写真画像データを前記受注者に送付するように指示する送付指示工程を含むようにしてもよい。
【００１６】
次に、前記制作依頼情報に顔写真画像データを含め、前記オークション工程では、前記受注希望者に、前記受注希望条件と共に、前記顔写真画像データに基づき制作した似顔絵を提示させるようにしてもよい。このようにすれば、完成した似顔絵を実際に確認しながら似顔絵制作者を選ぶことができる。
【００１７】
この代わりに、前記オークション工程において、前記受注希望者に、前記受注希望条件と共に、前記顔写真画像データに基づき制作した制作途中の似顔絵を提示させるようにしてもよい。
【００１８】
このように、オークションの際に、エントリーした各似顔絵制作者に対して似顔絵のラフスケッチなどの制作途中の状態のものを提示させるようにした場合には、依頼者はラフスケッチを見ることにより、完成後の似顔絵のタッチなどを確認することができる。よって、希望する似顔絵とはかけ離れたものが制作されることがなく、依頼者の希望に沿った似顔絵を得ることができる。エントリーした似顔絵制作者にとってもラフスケッチの状態で提示すればよいので、過大な負担を強いられることもない。
【００１９】
ここで、似顔絵あるいはその制作途中のものを提示させてオークションを行う場合には、前記受注工程において、前記制作依頼者から初期エントリー料を受け取り、前記受注希望者に、前記初期エントリー料を分配する分配工程を含むことが望ましい。
【００２０】
初期エントリー料金が配分されるので、受注できなかった場合でもラフスケッチの制作等に要した費用の一部を回収できるので、オークションへのエントリー者の数が少なくなることもない。
【００２１】
また、前記オークション工程において、前記受注希望者のそれぞれに、似顔絵の制作実例も提示させると、依頼者が似顔絵の作風などを確認できるので便利である。
【００２２】
次に、本発明は、インターネットなどのネットワークを介して、似顔絵入り名刺の制作を受注する似顔絵入り名刺の作成方法であって、似顔絵入り名刺の作成依頼者からの名刺作成依頼に基づき、上記の似顔絵制作の仲介方法により、似顔絵制作を発注する似顔絵制作の発注工程と、制作された似顔絵を用いて、似顔絵入り名刺を制作する名刺制作工程とを含むことを特徴としている。
【００２３】
ここで、少なくとも一種類の名刺作成上の統一規格を予め登録しておき、前記統一規格が指定されると、前記名刺作成工程では、当該統一規格に従って似顔絵入り名刺を作成することが望ましい。
【００２４】
このようにすれば、会社などの組織が統一した名刺様式を事前登録しておくことにより、その会社の社員がそれぞれ似顔絵入り名刺を個別の作成依頼した場合においても、統一した様式で似顔絵入り名刺を作成することができる。
【００２５】
一方、本発明は、コンピュータに、インターネットなどのネットワークを介して、似顔絵制作の受発注の仲介処理を実行させるためのプログラムであって、似顔絵の制作依頼者から、制作依頼情報を受け付ける受注工程と、予め登録されている似顔絵制作者に前記制作依頼情報を提示して、これら似顔絵制作者の中から受注希望者を募り、前記受注希望者に受注希望条件を提示させ、前記制作依頼者に、前記受注希望者の中から受注者を選択させるオークション工程と、前記受注者に似顔絵の制作を依頼する発注工程とをコンピュータに実行させることを特徴としている。
【００２６】
ここで、前記発注工程では、前記受注者に、制作依頼者の顔写真画像データを提供するようにしてもよい。この代わりに、前記制作依頼者に対して、顔写真画像データを前記受注者に送付するように指示する送付指示工程を含むようにしてもよい。
【００２７】
また、前記制作依頼情報に、顔写真画像データを含め、前記オークション工程では、前記受注希望者に、前記受注希望条件と共に、前記顔写真画像データに基づき制作した似顔絵を提示させるようにすることができる。この代わりに、前記オークション工程において、前記受注希望者に、前記受注希望条件と共に、前記顔写真画像データに基づき制作した制作途中の似顔絵を提示させるようにしてもよい。
【００２８】
この場合には、前記受注工程において、前記制作依頼者から初期エントリー料を受け取り、前記受注希望者に、前記初期エントリー料を分配する分配工程を含むようにすることが望ましい。
【００２９】
次に、前記オークション工程では、前記受注希望者のそれぞれに、似顔絵の制作実例も提示させることが望ましい。
【００３０】
一方、本発明は、コンピュータに、インターネットなどのネットワークを介して、似顔絵入り名刺の制作の受注処理を実行させる似顔絵入り名刺作成用プログラムであって、似顔絵入り名刺の作成依頼者からの名刺作成依頼を受け付けると起動する上記の似顔絵制作仲介用プログラムと、コンピュータに、似顔絵制作を発注する似顔絵制作の発注工程、および、制作された似顔絵を用いて似顔絵入り名刺を制作する名刺制作工程を実行させるプログラムとを含むことを特徴としている。
【００３１】
ここで、少なくとも一種類の名刺作成上の統一規格を予め登録しておき、前記統一規格が指定されると、前記名刺作成工程では、当該統一規格に従って似顔絵入り名刺を作成することが望ましい。
【００３２】
【発明の実施の形態】
以下に、図面を参照して、本発明を適用した似顔絵入り名刺の作成システムの例を説明する。
【００３３】
（全体構成）
図１は本例の似顔絵入り名刺作成システム（以下、単に「名刺作成システム」と呼ぶ。）を示す概略構成図である。名刺作成システム１は、インターネット２上において似顔絵制作の仲介処理および名刺作成処理を行うアプリケーションサービスプロバイダ３により管理されている。また、名刺作成システム１は、インターネット２を介して、名刺作成依頼を行う会社４ａあるいは個人５ａが所有しているインターネット通信機能を備えたパーソナルコンピュータなどの依頼者側端末４（４（１）、４（２）、４（３）・・・）、５（５（１）、５（２）・・・）と、似顔絵制作者６ａが所有するインターネット通信機能を備えたパーソナルコンピュータなどの制作者側端末６（６（１）、６（２）、６（３）・・・）とに接続可能となっている。
【００３４】
名刺作成システム１は、インターネット２上で名刺作成サイト１０を運営管理しているウエブサーバ１１と管理サーバ１２とを備えている。管理サーバ１２には、依頼者データベース１３と、制作者データベース１４と、会社別名刺様式データベース１５が接続されている。ウエブサーバ１１は管理サーバ１２による管理の下で、インターネット２を介して名刺作成サイト１０にアクセスする名刺作成依頼者４ａ、５ａに、ネットオークションにより似顔絵制作者６ａを決定させる似顔絵制作の受発注処理、および、制作された似顔絵を用いて名刺を作成する名刺作成処理を行う。
【００３５】
依頼者データベース１３には、似顔絵入り名刺の作成依頼者４ａ、５ａに関するデータが保持されている。作成依頼者４ａ、５ａに関するデータには、氏名あるいは名称、住所あるいは居所、クレジットカード番号などの個人情報と、過去の名刺作成依頼に関する履歴情報とが対応付けした形態で保持されている。制作者データベース１４には、似顔絵制作者６ａに関する情報が保持されている。似顔絵制作者６ａに関するデータには、制作者の氏名、住所、銀行口座などの個人情報と、過去の似顔絵制作に関する履歴情報とが対応付けした形態で保持されている。また、過去に作成した似顔絵の画像データファイルも保持されている。会社別名刺様式データベース１５には、依頼者である会社４ａ毎に定まっている名刺のロゴデザイン、字体、レイアウトなどの名刺の作成様式に関するデータが各会社４ａ毎に保持されている。
【００３６】
（動作説明）
本例の名刺作成システム１は、インターネット２を介して、作成依頼者４ａ、５ａと似顔絵制作者６ａとの間における似顔絵制作の受発注の仲介を行い、制作された似顔絵を用いて似顔絵入り名刺を作成する。
【００３７】
似顔絵制作の受発注の仲介では、名刺の作成依頼者４ａ、５ａから、依頼者側端末４、５およびインターネット２を介して、顔写真画像データ、希望納期および予算の範囲を含む似顔絵の制作依頼情報を受信すると、ネットオークションを行って制作者を決める。このネットオークション工程では、予め登録されている似顔絵制作者６ａに対して受信した制作依頼情報を提示して、受注希望者を募る。次に、集まった受注希望者に対して、顔写真データに基づき制作した制作途中の似顔絵（ラフスケッチ）と、制作金額および納期を含む受注希望条件とを提示させる。そして、制作依頼者に、受注希望者の中から、似顔絵の制作を依頼する受注者を選択させる。この後は、ネットオークションにより決定した受注者に対して似顔絵の制作依頼（発注）を行う。
【００３８】
似顔絵入り名刺の作成においては、会社別名刺様式が選択されると、会社別名刺様式データベース１５に保持されている選択された名刺様式に基づき、似顔絵入り名刺を作成する。会社別名刺様式が選択されない場合には、依頼者の希望に応じた様式に従って似顔絵入り名刺を作成する。作成された名刺は、電子データとして依頼者側端末４、５に送付される。あるいは、作成された似顔絵入り名刺を印刷して、依頼者４ａ、５ａに送付する。
【００３９】
図２は名刺作成システム１による似顔絵制作の仲介動作および似顔絵入り名刺の作成動作を示す説明図である。この図を参照して名刺作成システム１の動作を詳細に説明する。
【００４０】
まず、似顔絵制作者６ａは、制作者側端末６からインターネット２等を介して、名刺作成サイト１０にアクセスし（矢印２１）、制作者登録を行う。登録事項は、制作者の氏名、住所などの個人情報と、制作料金振込み用の銀行口座番号、過去の似顔絵作品データ等であり、これらは制作者データベース１４に登録される。
【００４１】
似顔絵入り名刺の作成を希望する依頼者４ａ、５ａは、依頼者側端末４あるいは５からインターネット２を介して、名刺作成サイト１０にアクセスする（矢印２２）。名刺作成サイト１０にアクセスすると、利用方法や、過去に作成された名刺などが表示された案内画面（矩形枠２３）が表示される。これにより、依頼者４ａ、５ａは名刺作成サイト１０の利用方法や過去の作品例を確認できる（矢印２４）。
【００４２】
名刺作成サイト１０上において、名刺の作成を希望する依頼者４ａ、５ａに対して、氏名あるいは名称、住所、連絡先ｅメールアドレスなどの個人情報と、希望納期、希望予算等とを含む制作依頼情報の入力を要求する。また、初期エントリー料の支払を要求する。初期エントリー料の支払方法は、クレジットカード番号などを用いた一般的なオンライン決済方法により行うことができる。制作依頼情報の入力と、初期エントリー料金の支払が確認されると（矢印２５）、これらの情報は依頼者データベース１３に登録される。また、制作依頼者４ａ、５ａに、似顔絵制作の発注先を決めるネットオークションへの似顔絵制作者６ａのエントリー期限日および制作者エントリー画面（矩形枠２６）のＵＲＬを知らせる（矢印２７）。
【００４３】
次に、制作依頼があった旨、希望納期および希望予算が、エントリー期限および制作者エントリー画面（矩形枠２６）のＵＲＬと共に、制作者側端末６を介して、登録されている似顔絵制作者６ａに連絡される。例えば、ｅメールにより連絡される（矢印２８）。連絡を受けた各似顔絵制作者６ａは、希望納期および希望予算から、似顔絵制作の受注希望者としてネットオークションにエントリーするか否かを判断し、エントリーする場合には、制作者エントリー画面（矩形枠２６）にアクセスして、その旨の入力を行う（矢印２９）。
【００４４】
依頼者４ａ、５ａは、エントリー期限日の後に、制作者エントリー画面（矩形枠２６）にアクセスして、エントリーされた似顔絵制作者６ａ（受注希望者）を確認する（矢印３０）。制作者エントリー画面に表示されている確認ボタンなどをクリックすることにより、画面が顔写真画像ファイル・アップロード画面（矩形枠３１）に切り替わり、依頼者４ａ、５ａに対して、顔写真の画像ファイルのアップロードを要求する。依頼者４ａ、５ａがデジタルカメラやカメラ付き携帯電話などによって撮影した顔写真の画像ファイルをアップロードすると、画面上に顔写真画像が表示される（矢印３２）。また、顔写真のラフスケッチ画像のエントリー期限日が表示される。
【００４５】
画像ファイルがアップロードされると、名刺作成システム１の側から、エントリーしている似顔絵制作者６ａに、その旨の情報と、アップロード画面のＵＲＬと、ラフスケッチのアップロード期限日などの情報が、ｅメールなどにより連絡される（矢印３３）。連絡を受けた似顔絵制作者６ａはアップロード画面にアクセスして顔写真画像ファイルをダウンロードして、似顔絵のラフスケッチを制作する。似顔絵制作者６ａは、制作したラフスケッチ画像を、制作者エントリー画面（矩形枠２６ａ）にアップロードすると共に、制作料、納期などの受注希望条件を制作者エントリー画面に入力する（矢印３４）。
【００４６】
この結果、制作者エントリー画面（矩形枠２６ａ）には、エントリーした似顔絵制作者６ａの氏名などの個人情報３５と、各似顔絵制作者６ａが作成した顔写真のラフスケッチ画像３６と、受注希望条件（制作料、納期など）３７とが表示される。なお、図においては、エントリーしている似顔絵制作者が「提供者Ｂ、Ｄ、Ｅ、Ｇ」と表示してある。
【００４７】
依頼者４ａ、５ａは、ラフスケッチ画像のエントリー期限日の後に、制作者エントリー画面にアクセスして、ラフスケッチ画像および受注希望条件を確認する（矢印３８）。依頼者４ａ、５ａは、ラフスケッチ画像を見ることにより、自分の好みにあった似顔絵を制作してくれる似顔絵制作者を確実に選ぶことができる。また、ラフスケッチと受注希望条件に基づき、最適な似顔絵制作者を選ぶことができる。制作者エントリー画面上において似顔絵制作者を選択すると（矢印３９）、選択された似顔絵制作者が受注者に決まり、例えば、その表示が反転するなどして、その旨が明示される。また、選ばれた似顔絵制作者に対しては、発注先に決まったこと、似顔絵画像ファイルアップロード画面のＵＲＬなどの情報がｅメールなどにより通知される（矢印４０）。
【００４８】
なお、依頼者４ａ、５ａから受け取った初期エントリー料金は、ラフスケッチ画像をアップロードしたエントリー者（似顔絵制作者）、図の場合には、提供者Ｂ、Ｄ、Ｅ、Ｇの４名に均等に配分される（矢印４１）。例えば、初期エントリー料金が５００円の場合には、それぞれ１２５円ずつ配分される。配分は、例えば、予め登録されている各似顔絵制作者の銀行口座に対する振込み処理手続きにより行われる。
【００４９】
以上により、ネットオークションが終了して、発注先の似顔絵制作者が決まる。ネットオークションにより発注先の似顔絵制作者を決めるようにしているので、似顔絵制作者として、学生、主婦からプロのデザイナーに到る多様な制作者を集めることができる。よって、依頼者４ａ、５ａは、希望する作風の似顔絵を描いてくれる制作者を確実に見つけることができ、また、希望する制作料金や納期に合った制作者を見つけることができる。
【００５０】
次に、似顔絵制作を受注した似顔絵制作者６ａは、似顔絵を完成させた後に、その画像ファイルを名刺作成サイト１０の似顔絵画像ファイルアップロード画面（矩形枠４２）にアップロードする（矢印４３）。名刺作成システム１では、似顔絵画像ファイルがアップロードされると、その旨、および似顔絵画像ファイルアップロード画面のＵＲＬを、依頼者４ａ、５ａにｅメールなどにより連絡し（矢印４４）、似顔絵制作料金の支払を請求する。
【００５１】
依頼者４ａ、５ａが似顔絵画像ファイルアップロード画面にアクセスして、その画面上において、クレジットカード決済などにより似顔絵制作料金の支払処理が行われると（矢印４５）、名刺作成システム１は、似顔絵制作者に対して制作料金、例えば２０００円の支払処理を行う（矢印４６）。
【００５２】
似顔絵画像ファイルアップロード画面に表示されている確認ボタンをクリックするなどの操作により、画面が名刺レイアウト指定画面（矩形枠４７）に切り替わり、名刺レイアウト・作成モードになる。この画面上において、依頼者４ａ、５ａは、名刺レイアウトを決定すると共に、記載事項を入力する（矢印４８）。
【００５３】
ここで、依頼者が会社４ａなどの場合には、当該会社４ａにおける名刺の様式が統一されている場合がある。前述のように、各会社の名刺様式は会社別名刺様式データベース１５に予め登録しておくことが可能である。会社別名刺様式データベース１５に名刺様式が登録されている場合には、依頼者４ａは名刺レイアウト表示画面に表示されている名刺様式選択ボタン等により名刺様式を選択できる。この場合には、選択された名刺様式により名刺のレイアウト、記載事項などが自動的に決定され、似顔絵のみが上記のように制作されたものになる。なお、名刺様式が登録されていない場合には、名刺レイアウト指定画面上において名刺様式を新規登録することも可能となっている。
【００５４】
画面上において名刺作成が完了した後は、例えば、画面上に表示されている確認ボタンをクリックするなどの操作により、名刺作成システム１がその旨を認識し、作成された名刺を例えば電子データとして依頼者４ａ、５ａに納品する（矢印４９）。あるいは、名刺作成システム１の側においてプリントアウトして、依頼者４ａ、５ａに送付してもよい。また、納品と共に名刺作成料金の請求を行う（矢印５０）。決済はネット決済でもよいし、名刺作成システム１により請求書をプリントアウトして依頼者４ａ、５ａに送付してもよい。
【００５５】
以上により、似顔絵の制作および似顔絵入り名刺の作成および納品処理が終了する。なお、上記の似顔絵の受発注処理および名刺の作成処理の履歴は、各データベース１３、１４、１５に登録される。すなわち、作成された似顔絵画像データ、作成された名刺データ、作成年月日などが依頼者データベース１３に登録される。ネットオークションにエントリーした似顔絵制作者、および受注した似顔絵制作者については、その旨が、似顔絵制作者データベース１４に登録される。また、新規に作成された名刺様式や更新された名刺様式が、それぞれ、会社別名刺様式データベース１５に登録される。
【００５６】
（その他の実施の形態）
上記の例では、ネットオークションにエントリーした似顔絵制作者に対して、似顔絵の制作途中のラフスケッチを提示させるようにしているが、この代わりに、完成した似顔絵を提示させるようにしてよい。この場合には、依頼者が制作者エントリー画面上において選択することにより、処理が完了する。また、この場合には、初期エントリー料金を高めに設定して、似顔絵制作者がネットオークションにエントリーし易くすればよい。
【００５７】
また、制作者エントリー画面上に、エントリーした似顔絵制作者の個人情報と受注希望条件（制作料、納期）のみを表示して、依頼者に似顔絵制作者を決定させるようにしてもよい。この場合には、決定した似顔絵制作者に対してのみ、依頼者の顔写真を、インターネットなどを介して送付すればよい。よって、直接に面識のない多数の似顔絵制作者に顔写真データが配布されることがないという利点がある。
【００５８】
なお、名刺作成サイト上において、オークションモードと似顔絵の自動作成モードのいずれかを選択可能としておき、自動作成モードが選択された場合には、自動作成ソフトを起動して、顔写真画像のアウトラインをスキャンして線画を生成することにより、似顔絵を自動作成するようにしてもよい。
【００５９】
【発明の効果】
以上説明したように、本発明では、ネットオークションにより、似顔絵の制作を依頼する似顔絵制作者を決定するようにしている。したがって、多数のエントリー者の中から、依頼者の好みに合った作風の制作者や、制作料、納期などの依頼者の希望に合った制作者を見つけることができる。よって、本発明によれば、依頼者の希望する似顔絵入り名刺を希望の条件により作成することができる。
【００６０】
また、ネットオークションの際に、エントリーした各似顔絵制作者に対して似顔絵のラフスケッチなどの制作途中の状態のものを提示させるようにした場合には、依頼者はラフスケッチを見ることにより、完成後の似顔絵のタッチなどを確認することができる。よって、希望する似顔絵とはかけ離れたものが制作されることがなく、依頼者の希望に沿った似顔絵を得ることができる。エントリーした似顔絵制作者にとってもラフスケッチの状態で提示すればよいので、課題な負担を強いられることもない。さらに、初期エントリー料金が配分されるので、受注できなかった場合でもラフスケッチの制作に要した費用の一部を回収できるので、オークションへのエントリー者の数が少なくなることもない。
【００６１】
さらには、会社などの組織の場合には、統一した名刺様式を事前登録しておくことにより、その会社の社員がそれぞれ似顔絵入り名刺を個別の作成依頼した場合においても、統一した様式で似顔絵入り名刺を作成することができる。
【図面の簡単な説明】
【図１】本発明を適用した似顔絵入り名刺作成システムを示す概略構成図である。
【図２】図１のシステムによる似顔絵入り名刺作成動作を示す説明図である。
【符号の説明】
１  似顔絵入り名刺作成システム、２  インターネット、３  アプリケーションサービスプロバイダ、４、５  依頼者側端末、４ａ、５ａ  依頼者、６  制作者側端末、６ａ  似顔絵制作者、１０  名刺作成サイト、１１  ウエブサーバ、１２  管理サーバ、１３、１４、１５  データベース
【図１】
2004348351.tif 000003
【図２】
2004348351.tif 000004